(57)【要約】【課題】電気機器からのノイズが電力情報重畳信号に悪影響を与えることを防止可能なコンセントプラグ及びアダプタプラグを提供する。【解決手段】コンセントプラグ５０は、電力線７０と電気的に接続される端子部５１ａ，５１ｂと、照明機器２００と電気的に接続されるコンセント部５２と、端子部５１ａ，５１ｂとコンセント部５２間に配設されたフィルタ部５３とを備え、フィルタ部５３はコンデンサＣとコイルＬ１，Ｌ２からなるＬＣ回路により構成されている。【選択図】図４
2009100039.tif 000002
【特許請求の範囲】
【請求項１】
電力線ダクトに接続され、電力線を流れる電力を電気機器に供給するコンセントプラグであって、
前記電気機器から前記電力線に伝達するノイズを遮断するフィルタを備えることを特徴とするコンセントプラグ。
【請求項２】
請求項１に記載のコンセントプラグにおいて、
前記電子機器を複数並列に接続可能に構成されていることを特徴とするコンセントプラグ。
【請求項３】
電力線ダクトに接続され、電力線を流れる電力情報重畳信号を電力信号と情報信号とに分離して電気機器に供給するアダプタプラグであって、
前記情報信号を前記電気機器に適した形態に変換して電気機器に供給するインタフェース部と、前記電気機器から前記電力線に伝達するノイズを遮断するフィルタとを備えることを特徴とするアダプタプラグ。
【発明の詳細な説明】
【技術分野】
【０００１】
本発明は、電力線通信（Power Line Communication : PLC）システムに適用して好適なコンセントプラグ及びアダプタプラグに関する。
【背景技術】
【０００２】
従来より、分電盤と、分電盤に接続された電力線ダクトと、電力線ダクトに接続されたプラグと、プラグを介して電力線ダクトに接続された照明機器とを備える電力線通信システムが知られている（特許文献１参照）。
【特許文献１】特開昭５３−８４１９５号公報
【発明の開示】
【発明が解決しようとする課題】
【０００３】
従来の電力線通信システムによれば、照明機器からの電気的なノイズがプラグを介して電力線に伝達することにより、ノイズが電力線を流れるＰＬＣ信号（電力情報重畳信号）に悪影響を与えることがある。
【０００４】
本発明は、上記課題を解決するためになされたものであり、その目的は、電気機器からのノイズが電力情報重畳信号に悪影響を与えることを防止可能なコンセントプラグ及びアダプタプラグを提供することにある。
【課題を解決するための手段】
【０００５】
本発明に係るコンセントプラグは、電力線ダクトに接続され、電力線を流れる電力を電気機器に供給するコンセントプラグであって、電気機器から電力線に伝達するノイズを遮断するフィルタを備える。本発明に係るアダプタプラグは、電力線ダクトに接続され、電力線を流れる電力情報重畳信号を電力信号と情報信号とに分離して電気機器に供給するアダプタプラグであって、情報信号を電気機器に適した形態に変換して電気機器に供給するインタフェース部と、電気機器から電力線に伝達するノイズを遮断するフィルタとを備える。
【発明の効果】
【０００６】
本発明に係るコンセントプラグ及びアダプタプラグによれば、フィルタが電気機器から電力線に伝達するノイズを遮断するので、電気機器からのノイズが電力情報重畳信号に悪影響を与えることを防止できる。
【発明を実施するための最良の形態】
【０００７】
以下、図面を参照して、本発明の実施形態となる電力線通信システムの構成について説明する。
【０００８】
〔電力線通信システムの構成〕
本発明の実施形態となる電力線通信システムは、図１に示すように、分電盤１０と、電力線ダクト２０と、ブロッキングプラグ３０と、通信プラグ４０と、コンセントプラグ５０と、アダプタプラグ６０と、通信路８０と、端末装置１００と、照明機器２００を備える。分電盤１０は、商用電力を送電する電力線と接続され、商用電力を各電力線７０に分配する。電力線ダクト２０は、単相３線の電力線７０を含み、分電盤１０を介して電力線７０同士が接続されている。なお電力線７０として三相３線のものを用いても良い。
【０００９】
電力線ダクト２０は、図２に示すように、電力線の配線方向を長手方向とする細長形状を有するダクト部２３を備える。ダクト部２３の下部には、電力線７０の配線方向を長手方向とする開口部２４が形成され、ブロッキングプラグ３０，コンセントプラグ４０，及びアダプタプラグ６０を着脱可能に接続するためのプラグ接続部が設けられている。ダクト部２３には、左及び右側の両内壁に電力線７０を構成する電路７１，７２が配設されている。電路７１にはＬ１相又はＬ２相が流れ、電路７２にはＮ相が流れる。
【００１０】
ダクト部２３の左側及び右側の両内壁には、図３に示すようにダクト部２３の中心に向かって対向するように形成された一対のホルダ７３１と、開口部２４とが設けられている。ホルダ７３１の内部には電路７１，７２が配設されている。ホルダ７３１の頂部は開口しており、ブロッキングプラグ３０，通信プラグ４０，コンセントプラグ５０，及びアダプタプラグ６０が備える端子部が挿入され、ブロッキングプラグ３０，通信プラグ４０，コンセントプラグ５０，及びアダプタプラグ６０と電力線ダクト２０とが電気的に接続されている。
【００１１】
ブロッキングプラグ２０は、電力線ダクト２０の任意の位置に着脱可能に接続され、アダプタプラグ６０及び通信プラグ４０よりも分電盤１０側に接続されている。ブロッキングプラグ２０は、分電盤１０へのＰＬＣ信号の通過を素子するブロッキングフィルタを備える。通信プラグ４０は、電力線ダクト２０の任意の位置に着脱可能に構成され、通信路８０を介して電力線ダクト２０の電力線７０に流れるＰＬＣ信号を他の電力線ダクト２０に接続された通信プラグ４０に送信する。通信路８０としては一対の導線からなるツイストペアケーブルを用いることができる。
【００１２】
コンセントプラグ５０は、電力線ダクト２０の任意の位置に着脱可能に接続され、電力線７０を流れる電力を照明機器２００に供給する。本実施形態では、コンセントプラグ５０は、図４に示すように、電力線７０と電気的に接続される端子部５１ａ，５１ｂと、電力線７０から供給される電力を照明機器２００に供給するコンセント部５２と、端子部５１ａ，５１ｂとコンセント部５２間に配設されたフィルタ部５３とを備え、フィルタ部５３はコンデンサＣとコイルＬ１，Ｌ２からなるＬＣ回路により構成されている。このような構成によれば、フィルタ部５３が照明機器２００から電力線７０に伝達する電気的なノイズを遮断するので、照明機器２００からの電気的なノイズが電力線７０を流れるＰＬＣ信号に悪影響を与えることを防止できる。なお本実施形態では、コンセント部を一つのみ設けたが、図５に示すように２つのコンセント部５２ａ，５２ｂを設けても良い。
【００１３】
アダプタプラグ６０は、電力線ダクト２０の任意の位置に着脱可能に接続され、電力線７０を流れるＰＬＣ信号を電力信号と情報信号に分離して端末装置１００に供給する。本実施形態では、アダプタプラグ６０は、図６に示すように、電力線７０と電気的に接続される端子部６１ａ，６１ｂと、端末装置１００に情報信号を供給するコネクタ部６２と、各種信号処理を行うインタフェース部６３と、端末装置１００に電力信号を供給するコンセント部６４と、端子部６１ａ，６１ｂとコンセント部６４間に配設されたフィルタ部６５とを備え、フィルタ部６５はコンデンサＣとコイルＬ１，Ｌ２からなるＬＣ回路により構成されている。このような構成によれば、フィルタ部６５が端末装置１００から電力線７０に伝達するノイズを遮断するので、端末装置１００からの電気的なノイズがＰＬＣ信号に悪影響を与えることを防止できる。
【００１４】
コネクタ部６２は、10Base-Tや100Base-T等のＬＡＮケーブルが接続可能なＬＡＮ端子により構成され、ＬＡＮケーブルを介して端末装置１００と接続される。インタフェース部６３は、コネクタ部６２により受信されたＬＡＮ信号をＰＬＣ信号に変換して電力線７０に送信すると共に、電力線ダクト２０に流れるＰＬＣ信号を受信し、受信したＰＬＣ信号をＬＡＮ信号に変換し、端末装置１００に送信する。
【００１５】
端末装置１００は、ＬＡＮケーブルを介してアダプタプラグ６０に接続されたパーソナルコンピュータやネットワークカメラ等のネットワーク機器により構成され、ＬＡＮの通信プロトコルに準拠したＬＡＮ信号を他の電力線ダクト２０に接続された端末装置１００に送信すると共に、他の電力線ダクト２０に接続された端末装置１００から送信されるＬＡＮ信号を受信する。照明機器２００は、蛍光灯，電球，発光ダイオード等の照明器具により構成される。なおコンセントプラグ５０において照明機器２００に代えてテレビ受像器や洗濯機等の家庭用電化製品を接続しても良い。
【００１６】
以上、本発明者らによってなされた発明を適用した実施の形態について説明したが、この実施の形態による本発明の開示の一部をなす記述及び図面により本発明は限定されることはない。このように、本実施形態に基づいて当業者等によりなされる他の実施の形態、実施例及び運用技術等は全て本発明の範疇に含まれる。
【図面の簡単な説明】
【００１７】
【図１】本発明の実施形態となる電力線通信システムの全体構成を示すブロック図である。
【図２】図１に示す電力線ダクトの外観を模式的に示す斜視図である。
【図３】図２に示す電力線ダクトの断面図である。
【図４】本発明の実施形態となるコンセントプラグの構成を示す回路図である。
【図５】図４に示すコンセントプラグの応用例の構成を示す回路図である。
【図６】本発明の実施形態となるアダプタプラグの構成を示す回路図である。
【符号の説明】
【００１８】
１０：分電盤
２０：電力線ダクト
２３：ダクト部
２４：開口部
３０：ブロッキングプラグ
４０：通信プラグ
５０：コンセントプラグ
５１ａ，５１ｂ：端子部
５２，５２ａ，５２ｂ：コンセント部
５３：フィルタ部
６０：アダプタ（ＰＬＣ）プラグ
６１ａ，６１ｂ：端子部
６２：コネクタ部
６３：インタフェース部
６４：コンセント部
６５：フィルタ部
７０：電力線
７１，７２：電路
７３１：ホルダ
７４：プラグ接続部
８０：通信路
１００：端末装置
２００：照明機器
Ｃ：コンデンサ
Ｌ１，Ｌ２：コイル
【図１】
2009100039.tif 000003
【図２】
2009100039.tif 000004
【図３】
2009100039.tif 000005
【図４】
2009100039.tif 000006
【図５】
2009100039.tif 000007
【図６】
2009100039.tif 000008